(57)【要約】【課題】ユーザが主体的に記録する場合に比べて、ダイアリー情報の抜けを防止する。【解決手段】電子ダイアリー作成装置は、時間情報取得部１および位置情報取得部２にて取得された時間情報および位置情報と、条件設定部２１にて予め設定された時間位置条件とを照合・要否判定部２２にて照合して、ユーザへの問いかけの要否を判定し、判定結果に基づいて、ユーザへの問いかけ情報を表示部５を介して表示出力し、ユーザから入力部６を介して入力された応答情報を、時間情報および位置情報とともにダイアリー情報１３として応答取得部２４にて取得し、記憶部３にて記憶する。【選択図】  図１
2005018642.tif 000002
【特許請求の範囲】
【請求項１】
時間情報および／または位置情報を取得する時間位置取得手段と、
上記時間情報および／または位置情報に関する条件である時間位置条件をユーザが予め設定するために用いられる条件設定手段と、
上記時間位置取得手段にて取得された時間情報および／または位置情報と、上記条件設定手段にて設定された時間位置条件とを照合する照合手段と、
該照合手段における照合結果に基づいて、ユーザへの問いかけの要否を判定する要否判定手段と、
該要否判定手段における判定結果に基づいて、ユーザへの問いかけ情報を出力する問いかけ出力手段と、
該問いかけ出力手段にて出力された問いかけ情報に対する応答情報をユーザが入力するために用いられる応答入力手段と、
該入力手段にて入力された応答情報を、上記時間情報および／または位置情報とともにダイアリー情報として取得する応答取得手段と、
応答取得手段にて取得されたダイアリー情報を記憶する記憶手段とを備えることを特徴とする電子ダイアリー作成装置。
【請求項２】
上記問いかけ情報の内容は、天気、行動目的、同行者情報、行動内容、購入物情報、金銭収支情報、入手物情報、食事内容、感想、評価、および全体の要約のうち少なくとも１つを含むことを特徴とする請求項１に記載の電子ダイアリー作成装置。
【請求項３】
上記時間位置取得手段は、少なくとも位置情報を取得しており、
上記条件設定手段にて予め設定される時間位置条件は、ユーザが日常的に行く場所の位置情報である行付け位置情報を含んでおり、
上記照合手段は、上記時間位置取得手段にて取得された位置情報と、上記条件設定手段にて設定された行付け位置情報とを照合しており、
上記要否判定手段は、上記時間位置取得手段にて取得された位置情報が、上記行付け位置情報以外である場合に、ユーザへの問いかけを行うことを特徴とする請求項１に記載の電子ダイアリー作成装置。
【請求項４】
上記時間位置取得手段は、少なくとも位置情報を取得しており、
上記条件設定手段にて予め設定される時間位置条件は、ユーザが日常的に行く場所の位置情報である行付け位置情報を含んでおり、
上記記憶手段により記憶されたダイアリー情報の中から、上記行付け位置情報以外の位置情報を含む時間的に連続した一連のダイアリー情報を抽出する情報抽出手段をさらに備えており、
上記記憶手段は、上記情報抽出手段にて抽出された一連のダイアリー情報を保存ファイルとして記憶することを特徴とする請求項１に記載の電子ダイアリー作成装置。
【請求項５】
上記記憶手段は、さらに、地名を含む地図情報が、位置情報と関連付けられて記憶しており、
上記情報抽出手段にて抽出された一連のダイアリー情報に含まれる位置情報と、予め設定された基点の位置情報との距離を検出して、上記基点からの距離が最も遠い場所の位置情報を検出する距離検出手段と、
該距離検出手段にて検出された位置情報を、上記記憶手段にて位置情報と関連付けられて記憶された地図情報と照合して、上記基点からの距離が最も遠い場所の地名を検出する地名検出手段とをさらに備えており、
上記記憶手段は、該地名検出手段にて検出された地名を上記保存ファイルの見出しとして記憶することを特徴とする請求項４に記載の電子ダイアリー作成装置。
【請求項６】
上記時間位置取得手段は、さらに時間情報を取得しており、
上記記憶手段は、さらに、地名を含む地図情報が、位置情報と関連付けられて記憶しており、
上記情報抽出手段にて抽出された一連のダイアリー情報に含まれる時間情報を用いて、滞在時間が最も長かった場所の位置情報を検出する滞在時間検出手段と、
該滞在時間検出手段にて検出された位置情報を、上記記憶手段にて位置情報と関連付けられて記憶された地図情報と照合して、上記滞在時間が最も長かった場所の地名を検出する地名検出手段とをさらに備えており、
上記記憶手段は、該地名検出手段にて検出された地名を上記保存ファイルの見出しとして記憶することを特徴とする請求項４に記載の電子ダイアリー作成装置。
【請求項７】
時間情報および／または位置情報を取得する時間位置取得ステップと、
上記時間情報および／または位置情報に関する条件である時間位置条件であって、ユーザが設定した時間位置条件を記憶する条件設定ステップと、
上記時間位置取得ステップにより取得された時間情報および／または位置情報と、上記条件設定ステップにより記憶された時間位置条件とを照合する照合ステップと、
該照合ステップによる照合結果に基づいて、ユーザへの問いかけの要否を判定する要否判定ステップと、
該要否判定ステップによる判定結果に基づいて、ユーザへの問いかけ情報を出力する問いかけ出力ステップと、
該問いかけ出力ステップにより出力された問いかけ情報に対する応答情報であって、ユーザが入力した応答情報を、上記時間情報および／または位置情報とともにダイアリー情報として取得して記憶する応答取得ステップとを含むことを特徴とする電子ダイアリー作成方法。
【請求項８】
請求項１ないし６の何れか１項に記載の電子ダイアリー作成装置を動作させるための電子ダイアリー作成プログラムであって、コンピュータを上記各手段として機能させるための電子ダイアリー作成プログラム。
【請求項９】
請求項８に記載の電子ダイアリー作成プログラムが記録されたコンピュータ読取り可能な記録媒体。
【発明の詳細な説明】
【０００１】
【発明の属する技術分野】
本発明はユーザの日常の行動や経験、感想などを電子的に保存するための電子ダイアリー作成装置、電子ダイアリー作成方法、電子ダイアリー作成プログラム、および該プログラムを記録した記録媒体に関するものである。
【０００２】
【従来の技術】
従来、過去の行動や経験を記録し、後に記録した情報を活用するために、ユーザの過去の行動や経験に関する情報（以下、「ダイアリー情報」と称する。）を、ダイアリー帳やアルバム、メモ帳などの帳面に記載することが広く一般的に行われている。また、近時の電子技術の発達に伴い、ＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔ）に代表される電子機器の記憶装置にダイアリー情報を保存することが行われている。この場合、帳面に記載する場合に比べて、検索が容易である、嵩張らないといった利点がある。
【０００３】
しかしながら、上記の保存方法は何れも、ユーザが主体的に記録を残す動作を行うものであって、後で必要となる情報に抜けがあったりすることがある。また、行動や経験を行った時点では時間的余裕が無かったり必要を感じていなかったりして記録せず、後になって記録しようとして上記行動や経験の詳細な内容を忘れてしまっていたりすることがある。
【０００４】
このような問題点を解決するために、ユーザの行動映像を、その行為が行われた時刻や、ユーザがいた場所とともに記録する行動記録装置が開示されている（例えば、特許文献１参照）。特許文献１によれば、ビデオカメラで撮影した映像を、時計から得られる時刻と、ジャイロおよびＧＰＳ（Ｇｌｏｂａｌ  Ｐｏｓｉｔｉｏｎｉｎｇ  Ｓｙｓｔｅｍ）の組合せ、赤外線発振器および赤外線センサの組合せなどから得られるユーザの位置情報と共に、行動映像情報記録手段に記録することでき、過去の行動を時刻情報、位置情報から検索し思い出すことができる。
【０００５】
また、ＧＰＳ測位で得たカメラの撮影位置を基に、撮影位置情報と撮影画像とを関連付けて保存するカメラ装置が開示されている（例えば、特許文献２参照）。特許文献２によれば、ユーザが撮影を行った撮影位置や地名が撮影画像とともに保存することができ、過去に撮影した画像の撮影場所を正確に思い出すことができる。
【０００６】
【特許文献１】
特開平１０−１２２８９４号公報（１９９８年５月１５日公開）
【０００７】
【特許文献２】
特開２００１−１５７０９８号公報（２００１年６月８日公開）
【０００８】
【発明が解決しようとする課題】
しかしながら、特許文献１・２に開示された装置では、時刻および位置のみを自動的に取得しており、その他の有用なダイアリー情報（例えば、その場所を訪ねた目的が何であったのか、同行者は居たのか、どのような感想を持ったのかといった、その場の状況を把握するために必要なダイアリー情報）を取得することに関しては開示されていない。
【０００９】
その他の有用なダイアリー情報をユーザが撮影時に映像や音声で入力することが考えられるが、撮影はユーザによって主体的に行われるため、上述のように情報に抜けが生じる虞が依然として残ることになる。また、一般に、映像や音声から特定の情報を検索することは困難であり、時間がかかることになる。
【００１０】
また、情報の抜けを防止するため、撮影を自動的に行うことが考えられるが、ユーザが主体的に撮影を行う場合に比べて、取得・保存される情報量が膨大になるため、非常に大きな記憶容量を有する記憶装置が必要になるとともに、保存された情報の中から後に必要な情報を検索することがさらに困難であり、時間がかかることになる。
【００１１】
本発明は上記の問題点を解決するためになされたもので、その目的は、ユーザが主体的に記録する場合に比べて、ダイアリー情報の抜けを防止することができる電子ダイアリー作成装置および作成方法などを提供することにある。
【００１２】
【課題を解決するための手段】
上記の課題を解決するため、本発明の電子ダイアリー作成装置は、時間情報および／または位置情報を取得する時間位置取得手段と、上記時間情報および／または位置情報に関する条件である時間位置条件をユーザが予め設定するために用いられる条件設定手段と、上記時間位置取得手段にて取得された時間情報および／または位置情報と、上記条件設定手段にて設定された時間位置条件とを照合する照合手段と、該照合手段における照合結果に基づいて、ユーザへの問いかけの要否を判定する要否判定手段と、該要否判定手段における判定結果に基づいて、ユーザへの問いかけ情報を出力する問いかけ出力手段と、該問いかけ出力手段にて出力された問いかけ情報に対する応答情報をユーザが入力するために用いられる応答入力手段と、該入力手段にて入力された応答情報を、上記時間情報および／または位置情報とともにダイアリー情報として取得する応答取得手段と、応答取得手段にて取得されたダイアリー情報を記憶する記憶手段とを備えることを特徴としている。
【００１３】
上記の構成によると、時間位置取得手段にて取得された時間情報および／または位置情報と、条件設定手段にて設定された時間位置条件とが合致し、かつユーザへの問いかけを必要とする場合にのみ、ユーザへの問いかけを行って、その応答を保存している。
【００１４】
したがって、上記の場合に常に問いかけを行って応答を保存するので、ユーザが主体的に記録するよりもダイアリー情報の抜けを防止することができる。また、上記の場合にのみ記録を行うので、常時記録を行う場合に比べて記憶容量が少なくてすみ、後の検索を迅速に行うことができる。また、問いかけのための条件設定をユーザが行うことができるので、取得する応答情報の情報量および情報レベルをユーザが設定でき、個々のユーザに対応した応答情報を取得することができる。
【００１５】
さらに、本発明の電子ダイアリー作成装置は、上記の構成において、問いかけの内容が、天気、行動目的、同行者情報、行動内容、購入物情報、金銭収支情報、入手物情報、食事内容、感想、評価、および全体の要約のうち少なくとも１つを含むことを特徴としている。
【００１６】
これによれば、装置が自動的に取得または類推困難なユーザ特有の情報を、ユーザが忘れることなく取得でき、その場の状況を後に把握するための有用情報を、十分に取得することが可能となる。
【００１７】
さらに、本発明の電子ダイアリー作成装置は、上記の構成において、上記時間位置取得手段は、少なくとも位置情報を取得しており、上記条件設定手段にて予め設定される時間位置条件は、ユーザが日常的に行く場所の位置情報である行付け位置情報を含んでおり、上記照合手段は、上記時間位置取得手段にて取得された位置情報と、上記条件設定手段にて設定された行付け位置情報とを照合しており、上記要否判定手段は、上記時間位置取得手段にて取得された位置情報が、上記行付け位置情報以外である場合に、ユーザへの問いかけを行うことを特徴としている。
【００１８】
上記の構成によると、ユーザが日常的に行かない場所に限ってユーザへの問いかけが行われる。これにより、ユーザが非日常的な場所に行ったことを自動的に判定でき、保存する情報を非日常的な場所に行ったときの情報に限ることができる。従って、取得・保存される情報量が膨大になることを防ぐことができるとともに、ユーザが保存された情報の中から後に必要な情報を検索することが容易となる。
【００１９】
さらに、本発明の電子ダイアリー作成装置は、上記の構成において、上記時間位置取得手段は、少なくとも位置情報を取得しており、上記条件設定手段にて予め設定される時間位置条件は、ユーザが日常的に行く場所の位置情報である行付け位置情報を含んでおり、上記記憶手段により記憶されたダイアリー情報の中から、上記行付け位置情報以外の位置情報を含む時間的に連続した一連のダイアリー情報を抽出する情報抽出手段をさらに備えており、上記記憶手段は、上記情報抽出手段にて抽出された一連のダイアリー情報を保存ファイルとして記憶することを特徴としている。
【００２０】
上記の構成によると、ユーザが日常的に行かない場所で取得した一連のダイアリー情報が抽出され、保存ファイルとして記憶される。これにより、ユーザが例えば旅行や出張などで非日常的な場所に行った場合に、一連のダイアリー情報が自動的に抽出されることになり、ユーザがダイアリー情報の中から抽出する手間を省くことができる。
【００２１】
さらに、本発明の電子ダイアリー作成装置は、上記の構成において、上記記憶手段は、さらに、地名を含む地図情報が、位置情報と関連付けられて記憶しており、上記情報抽出手段にて抽出された一連のダイアリー情報に含まれる位置情報と、予め設定された基点の位置情報との距離を検出して、上記基点からの距離が最も遠い場所の位置情報を検出する距離検出手段と、該距離検出手段にて検出された位置情報を、上記記憶手段にて位置情報と関連付けられて記憶された地図情報と照合して、上記基点からの距離が最も遠い場所の地名を検出する地名検出手段とをさらに備えており、上記記憶手段は、該地名検出手段にて検出された地名を上記保存ファイルの見出しとして記憶することを特徴としている。
【００２２】
さらに、本実施形態の電子ダイアリー作成装置は、上記の構成において、上記時間位置取得手段は、さらに時間情報を取得しており、上記記憶手段は、さらに、地名を含む地図情報が、位置情報と関連付けられて記憶しており、上記情報抽出手段にて抽出された一連のダイアリー情報に含まれる時間情報を用いて、滞在時間が最も長かった場所の位置情報を検出する滞在時間検出手段と、該滞在時間検出手段にて検出された位置情報を、上記記憶手段にて位置情報と関連付けられて記憶された地図情報と照合して、上記滞在時間が最も長かった場所の地名を検出する地名検出手段とをさらに備えており、上記記憶手段は、該地名検出手段にて検出された地名を上記保存ファイルの見出しとして記憶することを特徴としている。
【００２３】
ここで、地図情報に含まれる地名には、個々の建物や地形などの陸上の目印となるランドマークの名称も含まれる。また、保存ファイルの見出しとは、ユーザが保存ファイルにアクセスしようとするときに、保存ファイルに関連して表示される名称をいい、例えば、保存ファイルのファイル名やフォルダ名が挙げられる。
【００２４】
上記の構成によると、基点からの距離が最も遠い場所の地名、または滞在時間が最も長かった場所の地名が、保存ファイルの見出しとして記憶される。これにより、保存ファイルの情報を見直すときに、各保存ファイルがどこを訪れたときの情報を含んでいるかをユーザが容易かつ直感的に推定することができる。
【００２５】
また、本発明の電子ダイアリー作成方法は、時間情報および／または位置情報を取得する時間位置取得ステップと、上記時間情報および／または位置情報に関する条件である時間位置条件であって、ユーザが設定した時間位置条件を記憶する条件設定ステップと、上記時間位置取得ステップにより取得された時間情報および／または位置情報と、上記条件設定ステップにより記憶された時間位置条件とを照合する照合ステップと、該照合ステップによる照合結果に基づいて、ユーザへの問いかけの要否を判定する要否判定ステップと、該要否判定ステップによる判定結果に基づいて、ユーザへの問いかけ情報を出力する問いかけ出力ステップと、該問いかけ出力ステップにより出力された問いかけ情報に対する応答情報であって、ユーザが入力した応答情報を、上記時間情報および／または位置情報とともにダイアリー情報として取得して記憶する応答取得ステップとを含むことを特徴としている。
【００２６】
上記の方法によると、時間位置取得ステップにて取得された時間情報および／または位置情報と、条件設定ステップにて設定された時間位置条件とが合致し、かつユーザへの問いかけを必要とする場合にのみ、ユーザへの問いかけを行って、その応答を保存している。
【００２７】
したがって、上記の場合に常に問いかけを行って応答を保存するので、ユーザが主体的に記録するよりもダイアリー情報の抜けを防止することができる。また、上記の場合にのみ記録を行うので、常時記録を行う場合に比べて記憶容量が少なくてすみ、後の検索を迅速に行うことができる。また、問いかけのための条件設定をユーザが行うことができるので、取得する応答情報の情報量および情報レベルをユーザが設定でき、個々のユーザに対応した応答情報を取得することができる。
【００２８】
なお、上記電子ダイアリー作成装置における各手段を、電子ダイアリー作成プログラムによりコンピュータ上で実行させることができる。さらに、上記電子ダイアリー作成プログラムをコンピュータ読取り可能な記録媒体に記憶させることにより、任意のコンピュータ上で上記電子ダイアリー作成プログラムを実行させることができる。
【００２９】
【発明の実施の形態】
〔実施の形態１〕
本発明の一実施形態について図１および図２に基づいて説明すれば、以下のとおりである。図１は、本実施形態の電子ダイアリー作成装置の概略構成を示している。
【００３０】
上記電子ダイアリー作成装置は、時間情報取得部１、位置情報取得部２、記憶部３、制御部４、表示部５、および入力部６を備える構成である。各構成は、ユーザが持ち運び可能な携帯型の本体に設けられている。
【００３１】
時間情報取得部１は、現在の日時を示す時間情報を取得し、取得した時間情報を制御部４に送信する機能を有する。時間情報取得部１の例としては、本体に内蔵されたカレンダー時計や、ＮＴＰ（Ｎｅｔｗｏｒｋ  Ｔｉｍｅ  Ｐｒｏｔｏｃｏｌ）サーバから通信ネットワークを介して通信を行う通信デバイスが挙げられる。
【００３２】
また、位置情報取得部２は、現在の位置を示す位置情報を取得し、取得した位置情報を制御部４に送信する機能を有する。位置情報取得部２の例としては、ＧＰＳ信号を受信する受信デバイスや、携帯電話システムの基地局に代表される電波基地局と無線通信を行う無線デバイスや、ジャイロおよび速度センサの組合せや、赤外線発振器および赤外線センサの組合せや、これらを組み合わせたものが挙げられる。
【００３３】
また、表示部５は、制御部４から出力情報を受け取り、受け取った出力情報をユーザに表示出力する機能を有する。表示部５としては、各種のディスプレイを利用できるが、ＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ、および電子ペーパのような携帯性に優れたディスプレイを使用することが望ましい。
【００３４】
また、入力部６は、ユーザの入力に基づいて入力情報を作成し、作成された入力情報を制御部４に送信する機能を有する。入力部６の例としては、キーボード、テンキー、カーソルキー、マウスなどのポインティングデバイス、およびタッチパネルが挙げられる。
【００３５】
記憶部３は、各種情報を記憶する機能を有し、例えば半導体メモリやハードディスクによって構成される。本実施形態では、記憶部３には、問いかけの要否を判定するための情報である問いかけ要否情報１１と、問いかけの内容についての情報である問いかけ内容情報１２と、問いかけに対する応答に基づいて作成されるダイアリー情報１３とが記憶されている。
【００３６】
制御部４は、上記構成を統括的に制御する機能を有し、例えばＣＰＵ（Ｃｅｎｔｒａｌ  Ｐｒｏｃｅｓｓｉｎｇ  Ｕｎｉｔ）にてプログラムが実行されることによって実現される。また、本実施形態では、制御部４は、条件設定部２１、照合・要否判定部２２、問いかけ部２３、および応答取得部２４を備える構成である。
【００３７】
条件設定部２１は、表示部５および入力部６を利用して、ユーザに対し問いかけの条件および内容を設定させ、それぞれ問いかけ要否情報１１および問いかけ内容情報１２として記憶部３に記憶させる機能を有する。
【００３８】
照合・要否判定部２２は、時間情報取得部１にて取得された時間情報と、位置情報取得部２にて取得された位置情報と、記憶部３の問いかけ要否情報１１とを照合し、その照合結果に基づいて、ユーザへの問いかけの要否を判定する機能を有する。
【００３９】
問いかけ部２３は、照合・要否判定部２２においてユーザへの問いかけを行うと判定した場合には、対応する問いかけの内容を記憶部３の問いかけ内容情報１２から読み出して、表示部５を介してユーザに表示出力する機能を有する。
【００４０】
応答取得部２４は、ユーザへの問いかけに対する応答情報を入力部６を介して取得する機能を有する。取得した応答情報は、時間情報取得部１にて取得された時間情報と、位置情報取得部２にて取得された位置情報とともにダイアリー情報として記憶部３に記憶される。
【００４１】
上記構成の電子ダイアリー作成装置において、ダイアリー情報１３を取得して記憶部３に保存する動作を、図２に示されるフローチャートに基づいて説明する。
【００４２】
ダイアリー情報の取得が開始されると、まず、ステップＳ１１（以下、「ステップＳ」を「Ｓ」と略記する。）において、時間情報取得部１が現在時刻を取得し、Ｓ１２において、位置情報取得部２が電子ダイアリー作成装置の現在位置を取得する。
【００４３】
続いて、照合・要否判定部２２は、Ｓ１３において、上記取得された現在時刻および現在位置と、条件設定部２１により予め設定されて記憶部３に保存された問いかけ要否情報１１とを照合し、Ｓ１４において、上記照合結果に基づいて問いかけ要否を判断する。
【００４４】
Ｓ１４においてＹＥＳの場合、すなわち問いかけが必要であると判断した場合には、問いかけ部２３は、Ｓ１５において、条件設定部２１により予め設定されて記憶部３に保存された問いかけ内容情報１２を参照し、続いて、Ｓ１６において、参照内容に基づいてユーザに対する問いかけを表示部５を介して行う。
【００４５】
続いて、応答取得部２４は、Ｓ１７において、問いかけに対する応答情報をユーザから入力部６を介して取得して記憶部３にダイアリー情報１３として保存する。
【００４６】
そして、Ｓ１４においてＮＯの場合、すなわち問いかけが不要であると判断した場合、またはＳ１７の動作後には、Ｓ１８において、ユーザから終了指示があればダイアリー情報取得を終了し、無ければＳ１１に戻って上記動作を繰り返す。
【００４７】
〔実施の形態２〕
次に、本発明の別の実施形態について、図３〜図２０に基づいて説明する。本実施形態の電子ダイアリー作成装置は、図１に示される電子ダイアリー作成装置に比べて、各構成がより具体化されるとともに、記憶部３に記憶される情報に地図情報およびランドマーク情報が追加されている。なお、上記実施形態で説明した構成と同様の機能を有する構成には、同一の符号を付して、その説明を省略する。
【００４８】
本実施形態では、時間情報取得部１としては本体内にカレンダー時計を内蔵している。また、位置情報取得部２としてはＧＰＳ信号を受信する受信デバイスとアンテナとを利用している。この場合、位置情報として緯度経度情報を取得することになる。また、入力部６としてはテンキーおよびカーソルキーを利用している。テンキーは、主に文字や数字を入力するために利用しており、カーソルキーは、主に画面上の選択箇所を変更するために利用している。
【００４９】
記憶部３には、地名を含む地図情報と、個々の建物や地形などの陸上の目印となる情報であるランドマーク情報とが、緯度経度情報と関連付けられて予め保存されている。このランドマーク情報には、ランドマークの名称やランドマークが属する分野を示す情報も含まれる。上記地図情報およびランドマーク情報は、例えば市販のカーナビゲーションシステムに用いられている地図情報およびランドマーク情報と同様のものを用いることができる。
【００５０】
次に、記憶部３に予め保存される問いかけ要否情報１１および問いかけ内容情報１２について詳述する。まず、問いかけ要否情報１１は、「日常的に行く場所の情報」と、「問いかけを行うランドマークの情報」とからなり、それぞれ以下の処理動作によって生成される。
【００５１】
「日常的に行く場所の情報」は、ユーザの日常の行動履歴に基づいて生成される。この生成動作は、図８に示される電子ダイアリー作成装置の処理動作のうちＳ１１１〜Ｓ１１４に相当する。
【００５２】
まず、装置本体の電源がＯＮになると、ユーザからダイアリー情報の取得指示が有るか否かに関わらず、Ｓ１１１において時間情報検出部１が現在時刻の時間情報を、Ｓ１１２において位置情報取得部２が現在位置の緯度経度情報を、それぞれ所定の時間間隔で取得する。次に、Ｓ１１３において、取得された時間情報および緯度経度情報を時系列で記憶部３に保存して蓄積する。このとき記憶部３に保存されるデータ構造およびデータの一例を図３に示す。
【００５３】
続いて、図８のＳ１１４において、制御部４が、上記の時系列に蓄積された時間情報および緯度経度情報の並び替えを行い、個別の緯度経度情報ごとにまたは所定範囲内の緯度経度情報ごとに時間情報をまとめて記憶部３に保存する。このとき記憶部３に保存されるデータ構造およびデータの一例を図４に示す。以下、この保存データを、「日常的に行く場所の情報」と称する。
【００５４】
「日常的に行く場所の情報」は、上記Ｓ１１１〜Ｓ１１４、すなわちユーザの日常行動における時間情報および位置情報の取得処理および並び替え処理を繰り返すことで随時更新される。すなわち、ユーザが普段から本体の電源をＯＮにして行動することで、ユーザからのダイアリー情報取得指示の有無によらず、「日常的に行く場所の情報」を蓄積し充実させることができる。
【００５５】
上記「日常的に行く場所の情報」は、ユーザがダイアリー情報の保存開始を指示した後、位置情報取得部２が現在位置の緯度経度情報を取得する度に、照合・要否判定部２２において上記緯度経度情報と照合され、現在位置がユーザに対して問いかけを行うべき場所であるか否かを判断する判断基準として用いられる。
【００５６】
「問いかけを行うランドマークの情報」は、後述する条件設定処理（図１７）において、ランドマークの分野（ダイアリー情報を取得したいランドマークの種別）に関する問いかけを表示部５を介してユーザに行い、ユーザから入力部６を介して問いかけに対する応答を取得することにより設定され、記憶部３に保存される。このとき記憶部３に保存されるデータ構造およびデータの一例を図６に示す。以下、この保存データを「問いかけを行うランドマークの情報」と称する。
【００５７】
上記「問いかけを行うランドマークの情報」は、ユーザがダイアリー情報の保存開始を指示した後、位置情報取得部２が現在位置の緯度経度情報を検出する度に、照合・要否判定部２２において上記緯度経度情報と照合され、上記「日常的に行く場所の情報」と同様に、現在位置がユーザに対して問いかけを行うべき場所であるか否かを判断する判断基準として用いられる。
【００５８】
なお、上記「問いかけを行うランドマークの情報」には、上記問いかけを行うランドマークの周辺の情報をユーザに紹介するか否かの設定情報を必要に応じて含めてもよい。この設定情報は、予め記憶部３に保存されていてもよいし、必要な時にインターネットなどの通信ネットワークを介して収集してもよい。
【００５９】
また、上記「問いかけを行うランドマークの情報」には、上記問いかけを行うランドマークに関する関連情報をインターネットやその他外部の情報源を用いて検索するか否かの設定情報を含めてもよい。この場合、電子ダイアリー作成装置は、上記インターネットやその他外部の情報源と接続可能な通信デバイスを備える必要がある。
【００６０】
さらに、上記「問いかけを行うランドマークの情報」には、必要に応じて、ユーザが或る場所に一定時間以上滞在している場合に、何をしているのかという問いかけをユーザに行い、それに対する応答をダイアリー情報として保存するための設定情報を含めてもよい。すなわち、ユーザが或る地点で設定時間以上、設定範囲内でしか行動しなかった場合には、表示部５を介してユーザに何をしているのかを問いかけ、ユーザが入力部６を介して入力した応答を記憶部３に保存するように設定してもよい。
【００６１】
次に、記憶部３に予め保存される上記問いかけ内容情報１２について説明する。問いかけ内容情報１２は、ユーザに対する問いかけを行うときに参照される情報である。問いかけ内容情報１２は、後述する条件設定処理（図１７）において、ユーザに対し問いかけ内容に関する問いかけを表示部５を介してユーザに行い、ユーザから入力部６を介して問いかけ内容に関する応答を取得することにより設定され、記憶部３に保存される。このとき、記憶部３に予め保存される問いかけ内容情報１２のデータ構造およびデータの一例を図７に示す。
【００６２】
図７に示されるように、問いかけ内容情報１２の例としては、ダイアリー情報の保存を開始する時点（ダイアリー情報保存開始時）で一度だけ問いかけする内容、上記「問いかけを行うランドマークの情報」に含まれるランドマークを出発した時点（ランドマーク出発時）で問いかけする内容、上記「問いかけを行うランドマークの情報」に飲食店が含まれる場合に、飲食店に該当するランドマークを出発した時点（飲食店出発時）で問いかけする内容、およびダイアリー情報の保存を終了する時点（ダイアリー情報保存終了時）で一度だけ問いかけする内容が挙げられる。
【００６３】
問いかけ内容情報１２は、問いかけ部２３にて問いかけを行うときに参照される。なお、「問いかけを行うランドマークの情報」（図６）と、問いかけ内容情報１２（図７）とは、一体のデータ列として記憶部３に保存されていてもよい。
【００６４】
次に、上記構成の電子ダイアリー作成装置における処理動作について、図８および図９に基づいて説明する。まず、装置本体の電源がＯＮされると、上述のように、Ｓ１１１〜Ｓ１１４が行われて、「日常的に行く場所の情報」が更新される。
【００６５】
続いて、Ｓ１１５において初期画面５１を表示部５に表示する。初期画面５１の一例を図１０に示す。図示のように、初期画面５１の現在時刻表示部１０１には、時間取得部１が取得した現在時刻が表示される。また、初期画面５１の現在位置表示部１０２には、位置情報取得部２がＧＰＳ信号から取得した緯度経度情報と、記憶部３に予め保存された地図情報とを照合することにより取得される現在位置の名称（地名またはランドマーク名）が表示される。また、初期画面５１の地図表示部１０３には、現在位置を表す印および周辺の地図が表示される。
【００６６】
加えて、初期画面５１下部のボタン表示領域１０４には、ダイアリー情報の取得および保存の開始を指示するダイアリー保存開始ボタン１０５と、条件設定を変更する画面に移る設定変更ボタン１０６とがそれぞれ表示される。なお、各ボタン１０５・１０６は、入力部６のテンキーボタンおよびカーソルキーボタンを押すことで選択できる。
【００６７】
続いて、Ｓ１１６においてユーザがダイアリー保存開始ボタン１０５を選択したか、Ｓ１３８においてユーザが設定変更ボタン１０６を選択したか、或いは何れのボタン１０５・１０６も選択していないかを判断する。ユーザがダイアリー保存開始ボタン１０５を選択した場合には（Ｓ１１６でＹＥＳ）、ダイアリー情報の取得処理（Ｓ１１７〜Ｓ１３７）が行われる。一方、ユーザが設定変更ボタン１０６を選択した場合には（Ｓ１１６でＮＯ、かつＳ１３８でＹＥＳ）、後述の条件設定処理が行われる（Ｓ１３９）。その他、何れのボタン１０５・１０６も選択していない場合には（Ｓ１１６でＮＯ、かつＳ１３８でＮＯ）、Ｓ１１１に戻って上記動作を繰り返す。
【００６８】
次に、ダイアリー情報の取得処理（Ｓ１１７〜Ｓ１３７）について説明する。Ｓ１１６においてユーザがダイアリー保存開始ボタン１０５を選択すると（Ｓ１１６でＹＥＳ）、Ｓ１１７において、記憶部３に保存された問いかけ内容情報１２（図７）が参照され、「ダイアリー情報保存開始時」に対応する問いかけ内容に基づいて保存開始時入力画面５２が表示される。保存開始時入力画面５２の一例を図１１に示す。なお、図示のように、ダイアリー情報保存開始時における問いかけ内容は、天気・行動目的・目的地・同行者など、保存開始から終了までの間に一度だけ問いかけを行えばよい内容であることが望ましい。
【００６９】
なお、上記ダイアリー情報保存開始時に取得する情報については、ユーザがダイアリー保存開始ボタン１０５を押した時点の現在位置が、「問いかけを行うランドマークの情報」（図６）に該当するランドマーク種別でなくても問いかけを行う。
【００７０】
続いて、Ｓ１１８において、上記問いかけに対してユーザが入力部６を介して入力した応答情報が取得される。このとき、ユーザは、本体上に具備されたテンキーボタンおよびカーソルキーボタンを用いて、保存開始時入力画面５２（図１１）の記入枠にプルダウン選択または文字入力を行うことで応答情報の入力を行う。入力後、ユーザによってＯＫボタン１０９が選択されると、次のＳ１１９に移り、応答情報を記憶部３に保存する。
【００７１】
続いて、Ｓ１２０およびＳ１２１において、現在時刻の時間情報および現在位置の緯度経度情報が再び取得され、Ｓ１２２において、ダイアリー情報を保存していることを示す保存中画面５３が表示部５を介して表示される。保存中画面５３の一例を図１２に示す。このとき、保存中画面５３には、初期画面５１（図１０）に表示した現在時刻、現在位置の名称（地名またはランドマーク名）、現在位置および周辺の地図に加えて、ダイアリー情報を保存中であることを示す状態表示１０７と、ダイアリー保存終了ボタン１０８とがそれぞれ表示される。
【００７２】
続いて、Ｓ１２３において、照合・要否判定部２２における照合処理によって、Ｓ１２０で取得された現在時刻情報と、Ｓ１２１で取得された現在位置情報とが、記憶部３に保存された「日常的に行く場所の情報」（図４）、および、予めユーザが設定し記憶部３に保存された「問いかけレベル設定情報」（図５）の設定条件とが照合される。
【００７３】
続いて、Ｓ１２４において、上記照合結果を基に、照合・要否判定部２２における要否判定処理によって、現在位置が日常的に行く場所であるか否かの判断が行われる。すなわち、記憶部３に予め保存された「日常的に行く場所の情報」（図４）に含まれる時間情報および緯度経度情報から、同じく記憶部３に保存された「問いかけレベル設定情報」（図５）に設定された条件に該当する緯度経度情報を選択し、続いて、位置情報取得部２が取得した現在位置の緯度経度情報と比較して、現在位置が、ユーザが設定した日常的に行く場所の条件に該当するか否かを判断する。
【００７４】
ここで、日常的に行く場所ではないと判断した場合（Ｓ１２４でＮＯ）、すなわち、過去に現在位置を訪れた頻度が、ユーザが設定した日常的に行く場所であるか否かの判断基準を下回った場合には、次のＳ１２５へ進む。一方、日常的に行く場所であると判断した場合（Ｓ１２４でＹＥＳ）には、Ｓ１３５に進む。
【００７５】
Ｓ１２５では、照合・要否判定部２２における照合処理によって、現在位置の緯度経度情報と、記憶部３に保存された「問いかけを行うランドマークの情報」（図６）とが照合される。具体的には、予め記憶部３に保存された地図情報およびランドマーク情報から、現在位置が属するランドマークの分野を検出し、これを「問いかけを行うランドマークの情報」（図６）に設定されたランドマークの分野と照合する。
【００７６】
続いて、Ｓ１２６において、上記照合結果を基に、照合・要否判定部２２における要否判定処理によって、現在位置のランドマークが問いかけを行う必要があるランドマークであるか否かの判断が行われる。すなわち、現在位置が属するランドマークの分野が、記憶部３に保存された「問いかけを行うランドマークの情報」（図６）中に存在するか否かが判断される。
【００７７】
ここで、問いかけを行う必要があるランドマークであると判断した場合（Ｓ１２６でＹＥＳ）、すなわち、現在位置が属するランドマークの分野が、ユーザが設定した「問いかけを行うランドマークの情報」（図６）中に存在した場合には、次のＳ１２７へ進む。一方、問いかけが不要であると判断した場合（Ｓ１２６でＮＯ）には、Ｓ１３５に進む。
【００７８】
続く、Ｓ１２７〜Ｓ１３１においては、Ｓ１２６で検出した問いかけを行うランドマークから、ユーザが出発した（離れた）ことを検出する。具体的には、Ｓ１２７およびＳ１２８において所定の時間間隔で現在時刻の時間情報および現在位置の緯度経度情報を取得して、Ｓ１２９において記憶部３に保存する。続いて、Ｓ１３０において、照合・要否判定部２２における照合処理によって、時間情報取得部１にて取得された現在位置の緯度経度情報と、記憶部３に保存されたランドマークの情報とが照合される。
【００７９】
続いて、Ｓ１３１において、上記照合結果を基に、照合・要否判定部２２における要否判定処理によって、ユーザがランドマークを出発したか否かの判断が行われる。すなわち、ユーザの現在位置がランドマークの所定範囲から外れたと判断した場合には（Ｓ１３１にてＹＥＳ）、ユーザがランドマークを出発したと判断し、次のステップＳ１３２へ進む。一方、ユーザの現在位置がランドマークの所定範囲内であると判断した場合には（Ｓ１３１にてＮＯ）、Ｓ１２７に戻って上記動作を繰り返す。
【００８０】
Ｓ１３２では、記憶部３に保存された問いかけ内容情報１２（図７）に含まれるランドマーク出発時の問いかけ内容が読み出され、続いてＳ１３３で、読み出された問いかけ内容に従ったランドマーク出発時入力画面５４が表示部５を介してユーザに提示される。ランドマーク出発時入力画面５４の一例を図１３に示す。図示のように、ランドマーク出発時入力画面５４では、行動内容、購入物情報、金銭収支情報、入手物情報、感想、および評価がユーザに対して問いかけされる。
【００８１】
また、出発したランドマークが飲食店であった場合には、記憶部３に保存された問いかけ内容情報１２（図７）に含まれる飲食店ランドマーク出発時の問いかけ内容が読み出され、続いてＳ１３３で、読み出された問いかけ内容に従った飲食店ランドマーク出発時入力画面５５が表示部５を介してユーザに提示される。飲食店ランドマーク出発時入力画面５５の一例を図１４に示す。図示のように、飲食店ランドマーク出発時入力画面５５では、食事内容、金銭収支情報、感想、および評価がユーザに対して問いかけされる。
【００８２】
なお、「問いかけを行うランドマークの情報」（図６）に、周辺の情報をユーザに紹介するか否かの条件を設定しておき、この条件に合致する場合には、上記問いかけを行うランドマークの周辺の情報をユーザに紹介するようにしてもよい。この周辺の情報は、予め記憶部３に保存されていてもよいし、または、インターネットを介して収集してもよい。
【００８３】
また、「問いかけを行うランドマークの情報」（図６）に、ランドマークに関する関連情報をインターネットやその他外部の情報源を用いて検索するか否かの条件を設定しておき、この条件に合致する場合には、関連情報をインターネットやその他外部の情報源を用いて検索してユーザに提示してもよい。
【００８４】
さらに、「問いかけを行うランドマークの情報」（図６）に、ランドマークにおける滞在時間が所定時間を越えた場合にはユーザに状況を確認する条件を設定しておき、この条件に合致する場合には、ユーザに「何をしているのか」という問いかけを行うことも可能である。
【００８５】
続いて、Ｓ１３４において、ユーザが入力部６を介して入力した情報が、上記問いかけに対する応答情報として取得される。このときユーザは、本体上に具備されたテンキーボタンおよびカーソルキーボタンを用いて、表示部５上に表示された問いかけ画面５４・５５（図１３・１４）の記入枠に、プルダウン選択または文字入力を行うことで応答の入力を行う。入力後、ユーザによってＯＫボタン１０９が選択されると次のＳ１３５へ進む。
【００８６】
Ｓ１３５では、上記応答内容が、時間情報および緯度経度情報とともに記憶部３に保存される。これが「ダイアリー情報」となる。ダイアリー情報のデータ構造およびデータの一例を図１６に示す。図示のように、ダイアリー情報には、時間情報と、緯度経度情報と、問いかけに対するユーザからの応答情報とが保存されている。
【００８７】
なお、Ｓ１２４において日常的に行く場所であると判断された場合（Ｓ１２４でＹＥＳ）、または、Ｓ１２６において問いかけを要するランドマークではないと判断された場合には（Ｓ１２６でＮＯ）、問いかけが省略されるので、時間情報および緯度経度情報と共に保存すべき応答内容が存在しない。この場合は、取得した時間情報および緯度経度情報のみが記憶部３に保存される。
【００８８】
また、問いかけを行った場所の地名またはランドマーク名を、上記位置情報を基に地図情報またはランドマーク情報を用いて検出し、ダイアリー情報（図１６）に加えて保存することも可能である。このようにすれば、後にダイアリー情報を参照するときに、ユーザが直感的に認識できる地名やランドマーク名を基に、必要な情報を検索でき、検索が容易となる。
【００８９】
また、ユーザからの応答情報は、応答した時点での時間情報および緯度経度情報と関連付けして保存してもよいし、問いかけ対象のランドマークに到着または出発した時点における時間情報および緯度経度情報と関連付けして保存してもよい。ランドマークに到着した時点の時間情報および緯度経度情報とともに応答情報を保存するには、Ｓ１２７およびＳ１２８において最初に取得された時間情報および緯度経度情報と関連付けして保存すればよい。また、ランドマークを出発した時点の時間情報および緯度経度情報とともに応答情報を保存するには、問いかけが表示部５を介して行われた時点の時間情報および緯度経度情報と関連付けして保存すればよい。
【００９０】
続いて、Ｓ１３６において、ユーザがダイアリー保存終了ボタン１０８を選択したか否かを判断する。選択した場合には（Ｓ１３６でＹＥＳ）、次のＳ１３７に進む。一方、選択しない場合には（Ｓ１３６でＮＯ）、Ｓ１２０に戻って上記動作を繰り返す。
【００９１】
Ｓ１３７では、記憶部３に予め保存された問いかけ内容情報１２（図７）が読み出され、問いかけ内容情報１２（図７）中にダイアリー保存終了時に行う問いかけが設定されている場合には、保存終了時入力画面５６が表示され、上記ダイアリー保存終了時に対応する問いかけの内容（例えば、一日のまとめ）にしたがう問いかけが行われる。保存終了時入力画面５６の一例を図１５に示す。そして、問いかけに対してユーザが入力部６を介して入力した応答情報がダイアリー情報（図１６）に追加して保存される。
【００９２】
なお、ダイアリー保存終了時に取得する情報については、ユーザがＳ１３６においてダイアリー保存終了ボタン１０８を押した時点の現在位置が「問いかけを行うランドマークの情報」（図６）に該当するランドマークでなくても問いかけを行う。
【００９３】
ダイアリー保存終了時の入力が完了した後、保存終了時入力画面５６のＯＫボタン１０９がユーザによって選択されると電源をＯＦＦし、ダイアリー情報の作成を終了する。
【００９４】
次に、ユーザが入力部６を介して設定し、記憶部３に保存される問いかけ条件を設定するための条件設定処理について、図１７に基づいて説明する。初期画面５１（図１０）にてユーザが設定変更ボタン１０６を選択すると（図８のＳ１１６でＮＯ、かつＳ１３８でＹＥＳ）、Ｓ１３９に進んで、図１７に示される条件設定処理ルーチンに移る。
【００９５】
条件設定処理ルーチンでは、まずＳ１５１において、ユーザの所在位置が日常的に行く場所であるか否かを判断するための判断基準となる「問いかけレベル設定情報」を設定する画面（問いかけレベル設定画面５７）を表示部５に表示する。
【００９６】
問いかけレベル設定画面５７の一例を図１８に示す。図示のように、ユーザは、問いかけレベル設定画面５７に従い、入力部６を介して、どの程度の頻度で訪れる場所を「日常的に行く場所」と判断するのか、また、どの程度最近行った場所を「日常的に行く場所」と判断するのかという判断基準を入力する。なお、ここでユーザが設定した内容は、後述のＳ１５７で記憶部３に保存され、「問いかけレベル設定情報」（図５）となる。
【００９７】
問いかけレベル設定画面５７（図１８）には設定終了ボタン１１０が表示されており、Ｓ１５２においてユーザが設定終了ボタン１１０を選択するまで待機する。ユーザが設定終了ボタン１１０を選択すれば、次のＳ１５３に進む。
【００９８】
続いて、Ｓ１５３では、問いかけを行うランドマークであるか否かを判断するための判断基準となる「問いかけを行うランドマークの情報」を設定する画面（問いかけランドマーク設定画面５８）を表示部５に表示する。
【００９９】
問いかけランドマーク設定画面５８の一例を図１９に示す。図示のように、ユーザは、問いかけランドマーク設定画面５８に従い、入力部６を介して、どの分野に属するランドマークを訪れた場合に問いかけを行うのかという判断基準を入力する。なお、ここでユーザが設定した内容は、後述のＳ１５７で記憶部３に保存され、「問いかけを行うランドマークの情報」（図６）となる。
【０１００】
加えて、Ｓ１５３では、選択したランドマークに関して、予め記憶部３に保存された、または外部から入手した周辺情報の紹介を行うか否かを選択できるように設定してもよいし、ランドマークに関する情報をインターネットや外部の情報源から入手するか否かを選択できるように設定してもよい。さらに、所定の時間以上、所定の範囲内からユーザが移動しなかった場合には、「何をしているのか」といったユーザの現在の状態を確認するための問いかけを表示部５に表示し、問いかけに対するユーザからの応答を記憶部３に保存するように設定してもよい。
【０１０１】
問いかけランドマーク設定画面５８（図１９）には設定終了ボタン１１０が表示されており、Ｓ１５４においてユーザが設定終了ボタン１１０を選択するまで待機する。ユーザが設定終了ボタン１１０を選択すれば、次のＳ１５５に進む。
【０１０２】
続いて、Ｓ１５５では、ユーザに問いかける内容を判断するための判断基準となる、「問いかけ内容」を設定する画面（問いかけ内容設定画面５９）を表示部５に表示する。
【０１０３】
問いかけ内容設定画面５９の一例を図２０に示す。図示のように、ユーザは、問いかけ内容設定画面５９に従い、入力部６を介して、問いかけランドマーク設定画面５８（図１９）で設定した問いかけを行うランドマークにおいて、どのような問いかけを行うのかという条件を入力する。
【０１０４】
この「問いかけ内容」設定では、天気、行動目的、同行者情報、行動内容、購入物情報、金銭収支情報、入手物情報、食事内容、感想、評価、および全体の要約の各情報について、問いかけするか否かの設定が行われる。なおここでユーザが設定した内容は、後述のＳ１５７で記憶部３に保存され、問いかけ内容情報１２（図７）となる。
【０１０５】
問いかけ内容設定画面５９（図２０）には設定終了ボタン１１０が表示されており、Ｓ１５６においてユーザが設定終了ボタン１１０を選択するまで待機する。ユーザが設定終了ボタン１１０を選択すれば、次のＳ１５７に進む。
【０１０６】
Ｓ１５７では、Ｓ１５１〜Ｓ１５６でユーザが設定を行った、問いかけレベル、問いかけランドマーク、問いかけ内容について、設定内容を記憶部３に保存する。各設定内容は、それぞれ、図５〜図７に示されるような「問いかけレベル設定情報」、「問いかけを行うランドマークの情報」、および問いかけ内容情報１２のデータ構造で記憶部３に保存される。その後、図８および図９に示されるメインルーチンに戻って、Ｓ１１１に進み、上記動作を繰り返す。
【０１０７】
なお、本実施形態では、「日常的に行く場所の情報」を基にして、ユーザが日常的に行かない場所に限ってユーザへの問いかけを行っている。すなわち、本実施形態では、ユーザがダイアリー情報の保存開始を指示してからダイアリー情報の保存終了を指示するまでの間、時間情報および緯度経度情報が記憶部３に保存され続け、ユーザへの問いかけおよび応答情報の取得は、ユーザが日常的に行かない場所に限って行われている。
【０１０８】
しかしながら、上記「日常的に行く場所」の情報を用いれば、問いかけに基づく情報以外の情報についても、ユーザが日常的に行かない場所を基準にして記憶部３に保存するように設定することも可能である。すなわち、時間情報および緯度経度情報についても、日常的に行かない場所に限って記憶部３に保存するようにしてもよい。
【０１０９】
〔実施の形態３〕
次に、本発明のさらに別の実施形態について、図２１〜図２３に基づいて説明する。図２１は、本実施形態の電子ダイアリー作成装置の概略構成を示している。図示のように、本実施形態の電子ダイアリー作成装置は、図３〜図２０に示される電子ダイアリー作成装置に比べて、記憶部３に保存ファイル１４が新たに保存されるとともに、制御部４に情報抽出部２５、距離検出部２６、および地名検出部２７が追加される点が異なり、その他の構成は同様である。なお、上記実施形態で説明した構成と同様の機能を有する構成には、同一の符号を付して、その説明を省略する。
【０１１０】
情報抽出部２５は、記憶部３に保存されたダイアリー情報１３の中から、ユーザが日常的に行く場所から離れて再び日常的に行く場所に戻るまでに取得された一連のダイアリー情報を抽出する機能を有する。距離検出部２６は、情報抽出部２５にて抽出された一連のダイアリー情報における各位置情報と、予めユーザによって設定された基点との距離を算出し、最も距離の遠い場所を検出する機能を有する。地名検出部２７は、距離検出部２６にて検出された基点からの距離が最も遠い場所の地名またはランドマーク名を取得し、情報抽出部２５にて抽出された一連のダイアリー情報とともに記憶部３の保存ファイル１４に保存する機能を有する。
【０１１１】
ここで、上記基点の設定は以下のように行われる。すなわち、図１７に示される条件設定処理において、Ｓ１５６に続いて、現在位置を基点として設定する基点設定画面６０を表示する。基点設定画面６０の一例を図２２に示す。続いて、ユーザが入力部５を介して、基点設定画面６０における「現在位置を基点に設定」するボタン１１１を選択する。このとき、現在位置の緯度経度情報を記憶部３に保存することにより基点情報を取得できる。取得された基点となる位置情報は緯度経度情報の形態で記憶部３に保存される。
【０１１２】
上記構成の電子ダイアリー作成装置における処理動作について説明する。本実施形態における処理動作は、図８および図９に示される実施形態の処理動作に比べて、図９に示されるＳ１３７の処理の後に、図２３に示される保存ファイル１４を作成する処理が追加される点が異なり、その他の処理は同様である。なお、上記実施形態で説明した処理動作と同様の処理動作については、同一の符号を付して、その説明を省略する。
【０１１３】
まず、Ｓ２５１において、制御部４の情報抽出部２５にて情報抽出処理を行い、記憶部３に保存されたダイアリー情報の中から、日常的に行く場所を離れてから再び日常的に行く場所に戻るまでに取得された一連のダイアリー情報を抽出する。一連のダイアリー情報には、一連の時間情報、一連の緯度経度情報、および、取得されたユーザからの応答情報が含まれる。上記日常的に行く場所を離れてから再び日常的に行く場所に戻るまでの範囲を検出するには、ダイアリー情報１３に含まれる緯度経度情報と、ユーザが設定し記憶部３に予め保存された「日常的に行く場所の情報」に含まれる位置情報とを照合することにより実現可能である。
【０１１４】
或いは、ダイアリー情報取得時に、日常的に行く場所を離れた時点（問いかけを開始した時点）と、日常的に行く場所に戻った時点（問いかけを終了した時点）で、目印となる符号をダイアリー情報１３に加えて保存しておくことによっても可能である。
【０１１５】
このように、日常的に行く場所を基準にダイアリー情報１３を抽出することで、例えば泊りがけで旅行に出掛けた場合など、途中で一旦電源をＯＦＦにする場合であっても、取得したダイアリー情報が電源のＯＮ、ＯＦＦや日付の区切りで分断されることなく、旅行に出発してから帰るまでの範囲で自動的にダイアリー情報を切り出して保存しておくことができる。
【０１１６】
続いて、Ｓ２５２において、制御部４の距離検出部２６にて距離検出処理を行い、上記抽出された一連のダイアリー情報に含まれる位置情報（緯度経度情報）と、設定された基点の緯度経度情報とを比較し、両者の緯度経度の差を求めることで、上記一連の位置情報の中で基点からの距離が最も遠い場所の位置情報を検出する。
【０１１７】
続いて、Ｓ２５３において、制御部４の地名検出部２７にて地名検出処理を行い、Ｓ２５３で検出された基点からの距離が最も遠い場所の位置情報（緯度経度情報）を、記憶部３に予め緯度経度情報と関連付けられて保存された地図情報またはランドマーク情報と照合し、上記検出された基点からの距離が最も遠い場所の地名またはランドマーク名を検出する。
【０１１８】
続いて、Ｓ２５４において、制御部４の地名検出部２７にて保存ファイル作成処理を行い、上記抽出された一連の時間情報、一連の位置情報、およびユーザからの応答情報を一連のデータ列として、例えば図１６と同じデータ構造で、新たに記憶部３に保存ファイル１４として保存する。
【０１１９】
このとき、新たな保存ファイル１４またはフォルダの見出しとしては、Ｓ２５３の地名検出処理によって検出された、基点から最も遠い場所の地名またはランドマーク名と、その場所を訪れた日付とを組み合わせて用いることが望ましい。また、上記基点から最も遠い場所を訪れた日付は、上記基点からの距離が最も遠い場所の位置情報とともに取得され保存された時間情報を用いることが望ましい。
【０１２０】
なお、上記の日常的に行く場所を離れてから、再び日常的に行く場所に戻るまでに取得された一連の時間情報、一連の位置情報（緯度経度情報）、および取得されたユーザからの応答情報は、上記新たな一連のデータ列を作成した後、元々記憶部３に保存されていた情報をダイアリー情報１３に保持したままでもよく、消去してもよい。
【０１２１】
また、上記データ列に新たに保存される一連のデータ列は、必ずしも一つのファイルである必要はなく、例えば、ダイアリー情報取得中にユーザが撮影した静止画像ファイルや動画像ファイルを含めたフォルダとして作成し、上記フォルダの見出しを、上記基点から最も遠い場所の地名またはランドマーク名と日付とを含む見出しとしてもよい。
【０１２２】
なお、本実施形態では、一旦記憶部３に保存した情報を、日常的に行く場所を離れてから再び日常的に行く場所に戻るまでの範囲で抽出し、改めて見出しを付けて保存する方法について示したが、最終的に日常的に行く場所を離れてから再び日常的に行く場所に戻るまでの範囲の情報が一連のデータ列となって保存されていればよく、例えば、最初から日常的に行かない場所での情報のみを記憶部３に保存するようにしておき、日常的に行く場所での情報は保存しないか、または一時的に保存して後で消去する方法を用いても構わない。
【０１２３】
また、Ｓ２５１において抽出を行う前のダイアリー情報１３内に、個々の位置情報に対応した地名またはランドマーク名が既に保存されている場合には、上記Ｓ２５３の地名検出処理は必ずしも必要ではなく、この場合、制御部４は地名検出部２７を省略することができる。
【０１２４】
本実施形態に示した方法のように、記憶部３に保存されたダイアリー情報１３の見出しの一部にユーザが訪れた場所の地名を用いる場合について、見出しの一部として用いる地名の詳細度（どの程度詳しい地名を用いるか）を、予めユーザが設定した基点の地名との位置関係から決定することも可能である。すなわち、基点の地名と、訪れた場所の地名とを照合し、詳細度の低い（地名が示す範囲が広い）地名が一致した場合には、一致した地名の次に詳細度が高い（地名が示す範囲が狭い）地名を上記見出しとして採用することができる。
【０１２５】
具体的に例を示せば、設定された基点の地名が「日本国大阪府大阪市」であり、訪れた場所の地名が「日本国石川県金沢市」であったならば、「日本国」という地名が一致しているため、次に詳細度の高い「石川」または「石川県」を見出しの一部に用いる。訪れた場所の地名が「日本国大阪府河内長野市」であったならば、「日本国大阪府」という地名が一致しているため、次に詳細度の高い「河内長野」または「河内長野市」を見出しの一部に用いる。訪れた先が日本国外であった場合には、地名が一致する部分は無いため、訪れた国名を見出しの一部として用いる。
【０１２６】
この方法を用いて見出しに採用する地名の詳細度を決定すれば、訪れた場所の地名を全ての詳細度に渡って見出しに用いる必要が無く、見出しを簡略化できるとともに、ユーザが直感的に判別しやすい見出しを容易に設定することができる効果がある。なお、このときの地名とは必ずしも住所である必要は無く、「東北」、「九州」といった地域を表すものであってもよい。
【０１２７】
〔実施の形態４〕
次に、本発明の他の実施形態について、図２４および図２５に基づいて説明する。図２４は、本実施形態の電子ダイアリー作成装置の概略構成を示している。図示のように、本実施形態の電子ダイアリー作成装置は、図２１に示される電子ダイアリー作成装置に比べて、距離検出部２６および地名検出部２７に代えて、地名検出部２８および滞在時間検出部２９が制御部４に設けられている点が異なり、その他の構成は同様である。なお、上記実施形態で説明した構成と同様の機能を有する構成には、同一の符号を付して、その説明を省略する。
【０１２８】
地名検出部２８は、情報抽出部２５にて抽出された一連のダイアリー情報に含まれる位置情報に対応する地名を検出する機能を有する。また、滞在時間検出部２９は、日常的に行く場所を離れてから再び日常的に行く場所に戻るまでの範囲の一連のダイアリー情報の中で、滞在時間が最も長かった場所を検出する機能を有する。
【０１２９】
上記構成の電子ダイアリー作成装置における処理動作について説明する。本実施形態における処理動作は、図２３に示される処理動作と同様に、図８および図９に示される実施形態の処理動作に比べて、図９に示されるＳ１３７の処理の後に、図２５に示される保存ファイル１４を作成する処理が追加される点が異なり、その他の処理は同様である。なお、上記実施形態で説明した処理動作と同様の処理動作については、同一の符号を付して、その説明を省略する。
【０１３０】
まず、Ｓ３５１において、図２３のＳ２５１と同様に、制御部４の情報抽出部２５にて情報抽出処理を行い、記憶部３に保存されたダイアリー情報１３の中から、日常的に行く場所を離れてから再び日常的に行く場所に戻るまでに取得された一連のダイアリー情報を抽出する。一連のダイアリー情報には、一連の時間情報、一連の緯度経度情報、および、取得されたユーザからの応答情報が含まれる。
【０１３１】
このように、日常的に行く場所を基準にダイアリー情報１３を抽出することで、例えば泊りがけで旅行に出掛けた場合など、途中で一旦電源をＯＦＦにする場合であっても、取得したダイアリー情報が電源のＯＮ、ＯＦＦや日付の区切りで分断されることなく、旅行に出発してから帰るまでの範囲で自動的にダイアリー情報を切り出して保存しておくことができる。
【０１３２】
続いて、Ｓ３５２において、制御部４の地名検出部２８にて地名検出処理を行い、抽出された一連のダイアリー情報に含まれる位置情報（緯度経度情報）と、予め記憶部３に緯度経度情報と関連付けて保存された地図情報またはランドマーク情報とを照合し、一連のダイアリー情報の個々の位置情報に対応する地名またはランドマーク名を検出する。
【０１３３】
続いて、Ｓ３５３において、上記検出された地名またはランドマーク名を基に、滞在時間が最も長かった場所を検出する滞在時間検出処理を制御部４の滞在時間検出部２９にて行う。具体的には、上記検出された地名またはランドマーク名と、抽出された一連のダイアリー情報に含まれる時間情報とを照合することにより、抽出された一連のダイアリー情報の中で滞在時間が最も長かった場所の地名またはランドマークを検出する。
【０１３４】
続いて、Ｓ３５４において、制御部４の滞在時間検出部２９にて保存ファイル作成処理を行い、上記抽出された一連のダイアリー情報（一連の時間情報、一連の位置情報、およびユーザからの応答情報）を一連のデータ列として、例えば図１６と同じデータ構造で、新たに記憶部３に保存ファイル１４として保存する。
【０１３５】
このとき、新たな保存ファイル１４またはフォルダの見出しとしては、Ｓ３５３で滞在時間検出処理によって検出された、滞在時間が最も長かった場所の地名またはランドマーク名と、滞在時間が最も長かった場所を訪れた日付とを組み合わせて用いることが望ましい。また、上記滞在時間が最も長かった場所を訪れた日付は、上記一連の処理によって検出された、滞在時間が最も長かった場所に該当する位置情報が、最初に取得された時点の時間情報を用いることが望ましい。
【０１３６】
なお、Ｓ３５１において抽出を行う前の元のダイアリー情報内に、個々の位置情報に対応した地名またはランドマーク名が既に保存されている場合には、上記Ｓ２５２の滞在時間検出処理のうち、個々の位置情報に対応する地名またはランドマーク名を検出する作業は必ずしも必要ではない。
【０１３７】
また、Ｓ３５１において抽出を行う前の元のダイアリー情報内に、個々の位置情報に対応した地名またはランドマーク名が既に保存されていない場合には、上記Ｓ３５２で検出された、位置情報に対応した地名またはランドマーク名が、Ｓ３５４において作成される一連のデータ列に加えて保存されてもよい。
【０１３８】
また、図２１〜図２３に示される実施形態における基点の設定方法を用いれば、上記実施形態と同様にダイアリー情報の見出しの一部として用いる地名の詳細度（どの程度詳しい地名を用いるか）を、予めユーザが設定した基点の地名との位置関係から決定することも可能である。すなわち、基点の地名と、訪れた場所の地名とを照合し、詳細度の低い（地名が示す範囲が広い）地名が一致した場合には、一致した地名の次に詳細度が高い（地名が示す範囲が狭い）地名を上記見出しとして採用することができる。
【０１３９】
この方法を用いて見出しに採用する地名の詳細度を決定すれば、訪れた場所の地名を全ての詳細度に渡って見出しに用いる必要が無く、見出しを簡略化できるとともに、ユーザが直感的に判別しやすい見出しを容易に設定することができる効果がある。
【０１４０】
本発明は上述した各実施形態に限定されるものではなく、請求項に示した範囲で種々の変更が可能であり、さらに、異なる実施形態にそれぞれ開示された技術的手段を適宜組み合わせて得られる実施形態についても本発明の技術的範囲に含まれる。
【０１４１】
例えば、上記実施形態では、地図情報およびランドマーク情報を記憶部３に予め保存しているが、これに代えて、通信手段を配備し、例えばインターネットを介して必要な領域の地図情報およびランドマーク情報を随時ダウンロードするようにしてもよい。
【０１４２】
さらに、上述のように、ユーザが所定時間以上、所定範囲内に滞在し続けた場合に、ユーザに対して「何をしているのか」を問いかけし、問いかけに対する応答を保存するように設定することもできる。この場合、時間情報と位置情報（緯度経度情報）のみを基に問いかけを行うことが可能である。すなわち、上記地図情報およびランドマーク情報を用いなくても問いかけを行うことが可能である。
【０１４３】
また、上記実施形態の電子ダイアリー作成装置は、独立した装置であってもよいし、一部の機能を携帯電話端末、ＰＨＳ（Ｐｅｒｓｏｎａｌ  Ｈａｎｄｙｐｈｏｎｅ  Ｓｙｓｔｅｍ）端末、腕時計、カーナビゲーション機器の何れかと共用するものであってもよい。
【０１４４】
また、上記実施形態に示した電子ダイアリー作成装置では、表示部５としてディスプレイを用いたが、ディスプレイと共にまたはディスプレイに代えて、音声を発するスピーカ、ヘッドホン、イヤホンなどの音声出力デバイスを採用することも可能である。
【０１４５】
さらに、上記実施形態の電子ダイアリー作成装置には、ユーザに対して、問いかけがあることを報知する報知手段が具備されてもよい。この報知手段の例としては、光を発する発光デバイスや、音を発する音響デバイスや、装置本体を振動させるバイブレーターが挙げられる。
【０１４６】
また、上記実施形態では、入力部６として本体上にテンキーボタンおよびカーソルキーボタンを備えるものであったが、これ以外に、ユーザがディスプレイの一部に触れ、その圧力によって入力を検知する入力部６を採用してもよいし、音声認識手段を配置し、ユーザが発する音声を認識して文章化する入力部６を採用してもよい。さらには、入力パッドによってユーザが手書きした内容を文字認識する入力部６であってもよいし、スキャナーを備え、平面媒体上に印刷または手書きされた情報を読み込ませて入力とする入力部６であってもよい。
【０１４７】
また、マイクを入力部６として採用し、音声を入力し保存しても構わない。さらには、静止画像や動画像を撮影するための撮影手段を追加し、時間情報または緯度経度情報に基づいてユーザに撮影を指示し、撮影画像を取得し保存してもよい。
【０１４８】
また、上記実施形態の電子ダイアリー作成装置では、時間情報取得部１、位置情報取得部２、記憶部３、制御部４、表示部５、入力部６が何れも本体内に備えられている場合について説明したが、上記各部は、それぞれ単独で、またはいくつかのまとまり毎にそれぞれ別個の機器から成り、通信手段を介して互いに連携して機能するものであってもよい。
【０１４９】
このとき、上記機器間の連携を取るための通信手段としては、電波通信手段、有線通信手段、赤外線通信手段、リムーバブルメモリを記録再生する手段などが挙げられ、無線通信、有線通信、赤外線通信、電子メール、インターネット、リムーバブルメモリのやり取りを用いて機器間の通信を行うことができる。
【０１５０】
このように、各部が単独で、または、いくつかのまとまり毎に、別々の機器から成る場合には、少なくとも位置情報取得部２を含む機器がユーザとともに移動することが出来る移動型機器であればよく、他の手段は固定型機器に具備されても構わない。
【０１５１】
例えば、時間情報取得部１、記憶部３、制御部４、は何れもＰＣやホームサーバーに代表される、制御部やデータ部を有する機器と一部の機能を共用していてもよく、また、表示部５はＰＣのディスプレイやテレビのディスプレイと一部の機能を共用していてもよい。
【０１５２】
またこのとき、記憶部３は上記別個の機器の何れか一つに備えられていてもよく、いくつかの機器に備えられていてもよい。例えば、ユーザと共に移動する移動型の機器が有する記憶部３には一時記憶情報を保存し、最終的には固定型の機器が有する記憶部３に情報を長期保存することも可能である。
【０１５３】
また、本実施形態では記憶部３として半導体メモリとハードディスクを用いたが、他にも光ディスク媒体、磁気テープ媒体、光テープ媒体などを採用することが可能であり、または、これらを組み合わせて用いることもできる。例えば、一時記憶情報の保存用には、半導体メモリを採用し、長期記憶情報の保存には、大容量の保存が可能なハードディスク媒体や光ディスク媒体を採用することが可能である。
【０１５４】
また、大容量のダイアリー情報を一括して、かつ、安定的に長期保存しておくためには、ホームサーバーのような、記録媒体をアレイ状に組み合わせた大容量記憶装置を採用することもできる。また、記憶部３は、常時内部に記憶媒体を備えるものである必要はなく、例えば、ＤＶＤ（Ｄｉｇｉｔａｌ  Ｖｅｒｓａｔｉｌｅ  Ｄｉｓｃ）やＢｌｕ―ｒａｙ  Ｄｉｓｃ（商標）のように取り外し可能な記録媒体を記録再生するものであってもよい。
【０１５５】
また、上記実施形態の電子ダイアリー作成装置は静止画像または動画像を撮影するための撮影手段を有する装置と一部の機能を共用してもよく、また、静止画像撮影装置や動画像撮影装置と通信手段を介して連携していてもよい。上記実施形態の電子ダイアリー作成装置がダイアリー情報を保存中に、これらの撮影手段や撮影装置による画像撮影が行われた場合には、その撮影画像の説明をユーザに求める問いかけを行うことも可能である。
【０１５６】
また、上記実施形態において、電子ダイアリー作成装置から発せられた問いかけに対し、ユーザが即座に応答しない場合は、問いかけ画面を表示したまま、図２に示されるＳ１１・Ｓ１２を行って、時間情報および位置情報の取得を再開することが望ましい。また、問いかけされた内容に対してユーザが入力を希望しない場合には、予め決められたキャンセルボタンを押すことで、入力を行わなくても次のステップに進めるようにしてもよい。
【０１５７】
また、上記実施形態では、電子ダイアリー作成装置からの問いかけに対してユーザが応答を入力しているが、これに加えて、予め決められたボタンを押すことで、ユーザが主体的に保存したい情報を自由に入力してダイアリー情報に追加できるようにしてもよい。
【０１５８】
また、ユーザが訪れた場所が過去に来たことがある場所であれば、その過去の時点に保存した情報を参照できるようにしてもよい。また、金銭収支情報を問いかけ内容として選択した場合、取得された金銭収支情報を基に保存開始から終了まで、または、任意の期間での合計収支計算が行われるように設定してもよい。
【０１５９】
また、上記実施形態の電子ダイアリー作成装置の制御部４における各部や各処理ステップは、ＣＰＵなどの演算手段が、ＲＯＭ（ｒｅａｄ  ｏｎｌｙ  ｍｅｍｏｒｙ）やＲＡＭ（ｒａｎｄｏｍ  ａｃｃｅｓｓ  ｍｅｍｏｒｙ）などの記憶手段に記憶されたプログラムを実行し、周辺のデバイスを制御することにより実現することができる。したがって、これらの手段を有するコンピュータが、上記プログラムを記録した記録媒体を読み取り、当該プログラムを実行するだけで、本実施形態の電子ダイアリー作成装置の制御部４における各種機能および各種処理を実現することができる。また、上記プログラムをリムーバブルな記録媒体に記録することにより、任意のコンピュータ上で上記の各種機能および各種処理を実現することができる。
【０１６０】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１６１】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１６２】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ等による半導体メモリを含めた固定的にプログラムを担持する記録媒体等がある。
【０１６３】
また、インターネットを含む通信ネットワークを接続可能なシステム構成であれば、通信ネットワークからプログラムをダウンロードするように流動的にプログラムを担持する記録媒体であることが好ましい。
【０１６４】
さらに、このように通信ネットワークからプログラムをダウンロードする場合には、そのダウンロード用のプログラムは予め本体装置に格納しておくか、あるいは別な記録媒体からインストールされるものであることが好ましい。
【０１６５】
【発明の効果】
以上のように、本発明の電子ダイアリー作成装置は、時間情報および／または位置情報を取得する時間位置取得手段と、上記時間情報および／または位置情報に関する条件である時間位置条件をユーザが予め設定するために用いられる条件設定手段と、上記時間位置取得手段にて取得された時間情報および／または位置情報と、上記条件設定手段にて設定された時間位置条件とを照合する照合手段と、該照合手段における照合結果に基づいて、ユーザへの問いかけの要否を判定する要否判定手段と、該要否判定手段における判定結果に基づいて、ユーザへの問いかけ情報を出力する問いかけ出力手段と、該問いかけ出力手段にて出力された問いかけ情報に対する応答情報をユーザが入力するために用いられる応答入力手段と、該入力手段にて入力された応答情報を、上記時間情報および／または位置情報とともにダイアリー情報として取得する応答取得手段と、応答取得手段にて取得されたダイアリー情報を記憶する記憶手段とを備える構成である。
【０１６６】
これにより、時間位置取得手段にて取得された時間情報および／または位置情報と、条件設定手段にて設定された時間位置条件とが合致し、かつユーザへの問いかけを必要とする場合に、常にユーザへの問いかけを行って応答を保存するので、ユーザが主体的に記録するよりもダイアリー情報の抜けを防止する効果を奏する。また、上記の場合にのみ記録を行うので、常時記録を行う場合に比べて記憶容量が少なくてすみ、後の検索が迅速となる効果を奏する。また、問いかけのための条件設定をユーザが行うことができるので、取得する応答情報の情報量および情報レベルをユーザが設定でき、個々のユーザに対応した応答情報を取得できる効果を奏する。
【０１６７】
さらに、本発明の電子ダイアリー作成装置は、以上のように、上記の構成において、問いかけの内容が、天気、行動目的、同行者情報、行動内容、購入物情報、金銭収支情報、入手物情報、食事内容、感想、評価、および全体の要約のうち少なくとも１つを含む構成である。
【０１６８】
これにより、装置が自動的に取得または類推困難なユーザ特有の情報を、ユーザが忘れることなく取得でき、その場の状況を後に把握するための有用情報を、十分に取得できる効果を奏する。
【０１６９】
さらに、本発明の電子ダイアリー作成装置は、以上のように、上記の構成において、上記時間位置取得手段は、少なくとも位置情報を取得しており、上記条件設定手段にて予め設定される時間位置条件は、ユーザが日常的に行く場所の位置情報である行付け位置情報を含んでおり、上記照合手段は、上記時間位置取得手段にて取得された位置情報と、上記条件設定手段にて設定された行付け位置情報とを照合しており、上記要否判定手段は、上記時間位置取得手段にて取得された位置情報が、上記行付け位置情報以外である場合に、ユーザへの問いかけを行う構成である。
【０１７０】
これにより、ユーザが非日常的な場所に行ったことを自動的に判定でき、保存する情報を非日常的な場所に行ったときの情報に制限できるので、取得・保存される情報量が膨大になることを防止できるとともに、ユーザが保存された情報の中から後に必要な情報を検索することが容易となる効果を奏する。
【０１７１】
さらに、本発明の電子ダイアリー作成装置は、以上のように、上記の構成において、上記時間位置取得手段は、少なくとも位置情報を取得しており、上記条件設定手段にて予め設定される時間位置条件は、ユーザが日常的に行く場所の位置情報である行付け位置情報を含んでおり、上記記憶手段により記憶されたダイアリー情報の中から、上記行付け位置情報以外の位置情報を含む時間的に連続した一連のダイアリー情報を抽出する情報抽出手段をさらに備えており、上記記憶手段は、上記情報抽出手段にて抽出された一連のダイアリー情報を保存ファイルとして記憶する構成である。
【０１７２】
これにより、ユーザが例えば旅行や出張などで非日常的な場所に行った場合に、一連のダイアリー情報が自動的に抽出されることになり、ユーザがダイアリー情報の中から抽出する手間を省略できる効果を奏する。
【０１７３】
さらに、本発明の電子ダイアリー作成装置は、以上のように、上記の構成において、上記記憶手段は、さらに、地名を含む地図情報が、位置情報と関連付けられて記憶しており、上記情報抽出手段にて抽出された一連のダイアリー情報に含まれる位置情報と、予め設定された基点の位置情報との距離を検出して、上記基点からの距離が最も遠い場所の位置情報を検出する距離検出手段と、該距離検出手段にて検出された位置情報を、上記記憶手段にて位置情報と関連付けられて記憶された地図情報と照合して、上記基点からの距離が最も遠い場所の地名を検出する地名検出手段とをさらに備えており、上記記憶手段は、該地名検出手段にて検出された地名を上記保存ファイルの見出しとして記憶する構成である。
【０１７４】
さらに、本実施形態の電子ダイアリー作成装置は、以上のように、上記の構成において、上記時間位置取得手段は、さらに時間情報を取得しており、上記記憶手段は、さらに、地名を含む地図情報が、位置情報と関連付けられて記憶しており、上記情報抽出手段にて抽出された一連のダイアリー情報に含まれる時間情報を用いて、滞在時間が最も長かった場所の位置情報を検出する滞在時間検出手段と、該滞在時間検出手段にて検出された位置情報を、上記記憶手段にて位置情報と関連付けられて記憶された地図情報と照合して、上記滞在時間が最も長かった場所の地名を検出する地名検出手段とをさらに備えており、上記記憶手段は、該地名検出手段にて検出された地名を上記保存ファイルの見出しとして記憶する構成である。
【０１７５】
これにより、基点からの距離が最も遠い場所の地名、または滞在時間が最も長かった場所の地名が、保存ファイルの見出しとして記憶されるので、保存ファイルの情報を見直すときに、各保存ファイルがどこを訪れたときの情報を含んでいるかをユーザが容易かつ直感的に推定できる効果を奏する。
【０１７６】
また、本発明の電子ダイアリー作成方法は、以上のように、時間情報および／または位置情報を取得する時間位置取得ステップと、上記時間情報および／または位置情報に関する条件である時間位置条件であって、ユーザが設定した時間位置条件を記憶する条件設定ステップと、上記時間位置取得ステップにより取得された時間情報および／または位置情報と、上記条件設定ステップにより記憶された時間位置条件とを照合する照合ステップと、該照合ステップによる照合結果に基づいて、ユーザへの問いかけの要否を判定する要否判定ステップと、該要否判定ステップによる判定結果に基づいて、ユーザへの問いかけ情報を出力する問いかけ出力ステップと、該問いかけ出力ステップにより出力された問いかけ情報に対する応答情報であって、ユーザが入力した応答情報を、上記時間情報および／または位置情報とともにダイアリー情報として取得して記憶する応答取得ステップとを含む方法である。
【０１７７】
これにより、時間位置取得ステップにより取得された時間情報および／または位置情報と、条件設定ステップにより設定された時間位置条件とが合致し、かつユーザへの問いかけを必要とする場合に、常にユーザへの問いかけを行って応答を保存するので、ユーザが主体的に記録するよりもダイアリー情報の抜けを防止する効果を奏する。また、上記の場合にのみ記録を行うので、常時記録を行う場合に比べて記憶容量が少なくてすみ、後の検索が迅速となる効果を奏する。また、問いかけのための条件設定をユーザが行うことができるので、取得する応答情報の情報量および情報レベルをユーザが設定でき、個々のユーザに対応した応答情報を取得できる効果を奏する。
【０１７８】
なお、上記電子ダイアリー作成装置における各手段を、電子ダイアリー作成プログラムによりコンピュータ上で実行させることができる。さらに、上記電子ダイアリー作成プログラムをコンピュータ読取り可能な記録媒体に記憶させることにより、任意のコンピュータ上で上記電子ダイアリー作成プログラムを実行させることができる。
【図面の簡単な説明】
【図１】本発明の一実施形態である電子ダイアリー作成装置の概略構成を示すブロック図である
【図２】上記電子ダイアリー作成装置の処理手順を示すフローチャートである。
【図３】上記電子ダイアリー作成装置における保存データ構造の一例を表形式にて示す図である。
【図４】上記電子ダイアリー作成装置に用いられる「日常的に行く場所の情報」のデータ構造の一例を表形式にて示す図である。
【図５】上記電子ダイアリー作成装置に用いられる「問いかけレベル設定情報」のデータ構造の一例を表形式にて示す図である。
【図６】上記電子ダイアリー作成装置に用いられる「問いかけを行うランドマークの情報」のデータ構造の一例を表形式にて示す図である。
【図７】上記電子ダイアリー作成装置に用いられる問いかけ内容情報１２のデータ構造の一例を表形式にて示す図である。
【図８】上記電子ダイアリー作成装置の処理手順の詳細を示すフローチャートである。
【図９】上記電子ダイアリー作成装置の処理手順の詳細を示すフローチャートである。
【図１０】上記電子ダイアリー作成装置における初期の表示画面を示す模式図である。
【図１１】上記電子ダイアリー作成装置における保存開始時の入力画面を示す模式図である。
【図１２】上記電子ダイアリー作成装置における保存中の表示画面を示す模式図である。
【図１３】上記電子ダイアリー作成装置におけるランドマーク出発時の入力画面を示す模式図である。
【図１４】上記電子ダイアリー作成装置における飲食店ランドマーク出発時の入力画面を示す模式図である。
【図１５】上記電子ダイアリー作成装置における保存終了時の入力画面を示す模式図である。
【図１６】上記電子ダイアリー作成装置における保存データ構造の一例を表形式にて示す図である。
【図１７】上記電子ダイアリー作成装置の条件設定処理手順を示すフローチャートである。
【図１８】上記電子ダイアリー作成装置において問いかけレベルの設定のための表示画面を示す模式図である。
【図１９】上記電子ダイアリー作成装置における問いかけランドマークの設定のための表示画面を示す模式図である。
【図２０】上記電子ダイアリー作成装置における問いかけ内容の設定のための表示画面を示す模式図である。
【図２１】本発明の別の実施形態である電子ダイアリー作成装置の概略構成を示すブロック図である。
【図２２】上記電子ダイアリー作成装置における基点設定のための表示画面を示す図である。
【図２３】上記電子ダイアリー作成装置の処理手順の詳細を示すフローチャートである。
【図２４】本発明の他の実施形態である電子ダイアリー作成装置の概略構成を示すブロック図である。
【図２５】上記電子ダイアリー作成装置における保存ファイルの作成手順を示すフローチャートである。
【符号の説明】
１    時間情報取得部（時間位置取得手段）
２    位置情報取得部（時間位置取得手段）
３    記憶部（記憶手段）
５    表示部（問いかけ出力手段）
６    入力部（応答入力手段）
１３    ダイアリー情報
１４    保存ファイル
２１    条件設定部（条件設定手段）
２２    照合・要否判定部（照合手段、要否判定手段）
２４    応答取得部（応答取得手段）
２５    情報抽出部（情報抽出手段）
２６    距離検出部（距離検出手段）
２７    地名検出部（地名検出手段）
２８    地名検出部（地名検出手段）
２９    滞在時間検出部（滞在時間検出手段）
【図１】
2005018642.tif 000003
【図２】
2005018642.tif 000004
【図３】
2005018642.tif 000005
【図４】
2005018642.tif 000006
【図５】
2005018642.tif 000007
【図６】
2005018642.tif 000008
【図７】
2005018642.tif 000009
【図８】
2005018642.tif 000010
【図９】
2005018642.tif 000011
【図１０】
2005018642.tif 000012
【図１１】
2005018642.tif 000013
【図１２】
2005018642.tif 000014
【図１３】
2005018642.tif 000015
【図１４】
2005018642.tif 000016
【図１５】
2005018642.tif 000017
【図１６】
2005018642.tif 000018
【図１７】
2005018642.tif 000019
【図１８】
2005018642.tif 000020
【図１９】
2005018642.tif 000021
【図２０】
2005018642.tif 000022
【図２１】
2005018642.tif 000023
【図２２】
2005018642.tif 000024
【図２３】
2005018642.tif 000025
【図２４】
2005018642.tif 000026
【図２５】
2005018642.tif 000027